(57)【要約】【課題】照明器具の本体に対する取り付けが容易な照明器具用フードを提供する。【解決手段】実施形態の一例である照明器具用フードは、照明器具の本体内に挿し込まれて当該本体に取り付けられるフードであって、軸方向両端が開口した筒状体と、筒状体の径方向に弾性変形可能に形成され、照明器具の本体に引っ掛かる少なくとも１つの爪部とを備える。【選択図】図３
2020004546.tif 000002
【特許請求の範囲】
【請求項１】
照明器具の本体内に挿し込まれて当該本体に取り付けられるフードであって、
軸方向両端が開口した筒状体と、
前記筒状体の径方向に弾性変形可能に形成され、前記照明器具の本体に引っ掛かる少なくとも１つの爪部と、
を備える、照明器具用フード。
【請求項２】
前記筒状体は、第１筒部と、前記第１筒部よりも直径が大きく、前記照明器具の本体内に挿し込まれる第２筒部を含み、
前記爪部は、前記第２筒部に形成されている、請求項１に記載の照明器具用フード。
【請求項３】
前記筒状体には、周方向に延びた切欠きが形成され、
前記爪部は、前記切欠きに沿って形成されている、請求項１または２に記載の照明器具用フード。
【請求項４】
前記爪部は、前記筒状体の径方向外側に突出した突起を有する、請求項１〜３のいずれか１項に記載の照明器具用フード。
【請求項５】
器具本体と、
請求項１〜４のいずれか１項に記載の照明器具用フードと、
を備え、
前記照明器具用フードは、前記爪部が形成された部分が前記器具本体の内部に挿し込まれた状態で前記器具本体に取り付けられている、照明器具。
【請求項６】
前記器具本体の内部には、前記爪部が嵌る凹部が形成されている、請求項５に記載の照明器具。
【発明の詳細な説明】
【技術分野】
【０００１】
本開示は、照明器具用フードおよび当該フードを備えた照明器具に関する。
【背景技術】
【０００２】
従来、商品、展示物、建築空間等の演出などを目的として、照明光を対象物に照射するスポットライトが広く知られている。例えば、特許文献１には、発光モジュール、レンズ、および筐体を有する器具本体と、筐体を回動可能に支持するアームとを備えたスポットライトが開示されている。また、特許文献２には、筒状のフードがブラケットを介して器具本体に取り付けられた照明器具が開示されている。
【０００３】
図５は、従来の照明器具１００を示す分解斜視図である。照明器具１００は、器具本体１０１、器具本体１０１を支持するアーム１０２、および器具本体１０１に取り付けられるフード１０３を備える。フード１０３は、軸方向両端が開口した略円筒状の部材であって、軸方向一端から径方向外側に張り出したフランジ１０４を有する。フード１０３は、レンズ１０６を隠してグレアを低減するグレアカットフィルタである。
【０００４】
フード１０３は、Ｃ字状の固定バネ１０５を用いて、器具本体１０１に取り付けられている。フード１０３は、フランジ１０４が形成された軸方向一端部を器具本体１０１の内部に挿入した後、固定バネ１０５を嵌め込むことで器具本体１０１に装着される。固定バネ１０５は、器具本体１０１の内面に押し付けられ、フード１０３のフランジ１０４を押えている。
【先行技術文献】
【特許文献】
【０００５】
【特許文献１】特開２０１５−１３５７７６号公報
【特許文献２】特開２０１１−１４２０１８号公報
【発明の概要】
【発明が解決しようとする課題】
【０００６】
ところで、照明器具用フードにおいて、照明器具の本体に対するフードの取り付け性を改善することは重要な課題である。照明器具１００の場合、フード１０３の取り付けには固定バネ１０５が必要であって、フード１０３を器具本体１０１の内部に挿入した後、固定バネ１０５を嵌め込む必要がある。例えば、固定バネ１０５等の他の部品を使用することなく、ワンタッチで器具本体に取り付け可能な照明器具用フードが求められている。
【課題を解決するための手段】
【０００７】
本開示の一態様である照明器具用フードは、照明器具の本体内に挿し込まれて当該本体に取り付けられるフードであって、軸方向両端が開口した筒状体と、前記筒状体の径方向に弾性変形可能に形成され、前記照明器具の本体に引っ掛かる少なくとも１つの爪部とを備える。
【０００８】
本開示の一態様である照明器具は、器具本体と、上記照明器具用フードとを備え、前記照明器具用フードは、前記爪部が形成された部分が前記器具本体の内部に挿し込まれた状態で前記器具本体に取り付けられている。
【発明の効果】
【０００９】
本開示の一態様によれば、器具本体に対する取り付けが容易な照明器具用フードを提供できる。本開示の一態様である照明器具用フードは、固定バネ等の他の部品を使用することなく、ワンタッチで器具本体に取り付け可能である。
【図面の簡単な説明】
【００１０】
【図１】実施形態の一例である照明器具の斜視図である。
【図２】実施形態の一例である照明器具の分解斜視図である。
【図３】実施形態の一例である照明器具用フードの斜視図である。
【図４】実施形態の一例である照明器具のフード取り付け構造の断面図である。
【図５】従来の照明器具を示す分解斜視図である。
【発明を実施するための形態】
【００１１】
以下、図面を参照しながら、本開示の実施形態の一例である照明器具用フード１３および当該フードを備えた照明器具１０について詳細に説明する。なお、本開示に係る照明器具用フードおよび照明器具は、以下で説明する実施形態に限定されない。
【００１２】
図１は照明器具１０の斜視図、図２は照明器具１０の分解斜視図である。図１および図２に例示するように、照明器具１０は、発光モジュール（図示せず）を有する器具本体１１、器具本体１１を支持するアーム１２、および器具本体１１に取り付けられる照明器具用フード１３（以下、「フード１３」とする）を備える。器具本体１１は、アーム１２によって回動可能に支持され、光の照射方向を変更可能である。即ち、照明器具１０は首振り機能を有する。照明器具１０は、商品、展示物、建築空間等の演出などを目的として、照明光を対象物に照射するスポットライトに好適である。
【００１３】
照明器具１０は、例えば図示しない固定部材を用いて天井に設置されたダクトレールに取り付けられる。照明器具１０は、飲食店、デパート等の店舗、美術館、図書館、駅等の公共施設、オフィス、住居などの天井に取り付けられるが、壁面に取り付けることも可能である。詳しくは後述するが、フード１３は、軸方向両端が開口した円筒状部材であって、器具本体１１の内部に挿し込まれて当該本体に取り付けられる。フード１３は、レンズ２０を隠してグレアを低減するグレアカットフィルタとして使用され、固定バネ等の他の部品を使用することなく、ワンタッチで器具本体１１に取り付け可能である。
【００１４】
器具本体１１は、発光モジュール、レンズ２０、およびこれらを収容する筐体２１を有する。また、器具本体１１には、発光モジュールの光を反射してレンズ２０の入射面に導く反射部材が設けられていてもよい。筐体２１には、ケーブル１４が引き込まれている。ケーブル１４は、図示しない電源ユニットと発光モジュールを接続する。発光モジュールには、ケーブル１４を介して電源ユニットから直流電力が供給される。
【００１５】
発光モジュールは、例えば発光素子および基板を有する。発光素子の一例は、半導体発光素子であって、中でもＬＥＤ（Light Emitting Diode）が好ましい。発光モジュールには、複数のＬＥＤチップが基板上に実装されたＣＯＢ（Chip On Board）型のモジュールを用いることができる。発光モジュールは、基板が筐体２１にネジ止めされることにより、筐体２１の内部に固定されてもよい。或いは、筐体２１に固定されるホルダーによって発光モジュールが保持されてもよい。
【００１６】
レンズ２０は、発光モジュールから出射された光を制御する光学部材であって、筐体２１の内部において発光モジュールと対向する位置に取り付けられる。レンズ２０は、一般的に円盤状を呈し、透明な樹脂またはガラスで構成される。レンズ２０には、例えば光入射面に複数の同心円状の凸部を有するフレネルレンズが用いられる。レンズ２０は、筐体２１に直接固定されてもよく、筐体２１に固定される反射部材に取り付けられてもよい。
【００１７】
反射部材は、例えば軸方向両端が開口した筒状体であって、発光モジュール側の入射口よりもレンズ２０側の出射口の直径が大きく、出射口に向かって内径が次第に大きくなっている。反射部材は、白色顔料等の光の反射率が高いフィラーを含有する樹脂で構成されてもよく、少なくとも反射部材の内面が発光モジュールの光を反射する反射面として機能する。反射部材の内面には、白色顔料等のフィラーを含有する塗膜、蒸着、メッキ、スパッタリング等により成膜される金属層、無機化合物層などが形成されていてもよい。レンズ２０は、出射口を塞ぐように反射部材に取り付けられる。
【００１８】
筐体２１は、発光モジュール、反射部材、およびレンズ２０を収容する部材であって、発光モジュールで発生する熱を放散させるヒートシンクとして機能してもよい。筐体２１は、例えばアルミニウムを主成分とする金属で構成され、ダイカスト成形により製造される。筐体２１は、有底円筒形状の基部２２と、基部２２の底部外面から延出したアーム固定部２３とを有する。発光モジュール、反射部材、およびレンズ２０は、基部２２の筒内に収容されている。アーム固定部２３は、基部２２から離れるほど縮径した先細り形状を有する。
【００１９】
筐体２１（器具本体１１）は、アーム固定部２３に取り付けられるアーム１２によって回動可能に支持されている。アーム１２は、アーム固定部２３を径方向両側から挟むように二股に分岐した構造を有する。アーム１２の先端部には、ネジ付きシャフト２６が挿通される軸受け２５が形成されている。ネジ付きシャフト２６は、例えば筐体２１の内部に配置されるナット（図示せず）を用いてアーム固定部２３に固定される。筐体２１の回動に要するトルクは、ネジ付きシャフト２６およびナットの締結力により、またバネ座金等を用いて調整できる。
【００２０】
フード１３は、上述のように、器具本体１１に取り付けられ、レンズ２０を隠してグレアを低減する。また、フード１３を用いることで、横方向に拡散する光がカットされ集光性が向上する。フード１３は、筐体２１の基部２２に取り付けられる。基部２２の筒内において、レンズ２０は開口縁部２２ａから所定長さ内側に配置され、開口縁部２２ａとレンズ２０との間にフード１３の軸方向一端部を挿し込み可能なスペースが形成される。
【００２１】
以下、図３および図４をさらに参照しながら、フード１３および器具本体１１に対するフード１３の取り付け構造について詳説する。図３はフード１３の斜視図、図４は器具本体１１に対するフード１３の取り付け構造を示す断面図である。
【００２２】
図１〜図４に例示するように、フード１３は、軸方向両端が開口した筒状体と、筒状体の径方向に弾性変形可能に形成され、器具本体１１の筐体２１に引っ掛かる少なくとも１つの爪部３２とを備える。爪部３２は、フード１３を構成する筒状体の軸方向一端部に形成されている。フード１３は、爪部３２により、筐体２１に対して着脱自在に取り付けられる。フード１３の軸方向一端側の開口が光の入射口となり、軸方向他端側の開口が光の出射口となる。
【００２３】
フード１３は、爪部３２が形成された軸方向一端部が筐体２１の基部２２の筒内に挿し込まれた状態で基部２２に取り付けられている。基部２２の筒内には、フード１３の爪部３２が嵌る凹部として溝２４が形成されている（図２および図４参照）。溝２４は、基部２２の内周面の一部に形成されていてもよいが、本実施形態では、基部２２の内周面に沿って環状に形成されている。溝２４は、爪部３２の突起３３が嵌合可能な深さおよび幅で、基部２２の開口縁部２２ａとレンズ２０の光出射面との間に形成される。
【００２４】
なお、基部２２の内周面には、例えば爪部３２と同数の凹部が形成されていてもよい。また、凹部の代わりに、爪部３２が引っ掛かる段部が開口縁部２２ａの近傍に形成されていてもよい。
【００２５】
フード１３を構成する筒状体は、軸方向全長にわたって一定の直径を有していてもよいが、本実施形態では、互いに直径が異なる第１筒部３０および第２筒部３１を含んでいる。第２筒部３１は、第１筒部３０よりも直径が大きく、基部２２の筒内に挿し込まれる部分であって、爪部３２は第２筒部３１に形成されている。第１筒部３０と第２筒部３１の境界部では直径が急峻に変化しており、当該境界部は段状に形成されている。
【００２６】
第１筒部３０および第２筒部３１は、例えばアルミニウムを主成分とする金属で構成され、金属板の絞り加工により成形される。即ち、第１筒部３０および第２筒部３１は、同じ材料で構成され、絞り加工により一体成形される。筒状体を構成する金属板の厚みは、特に限定されないが、フード１３の重量、強度、爪部３２のバネ性等を考慮すると、０．２ｍｍ〜１ｍｍ程度が好ましい。
【００２７】
第１筒部３０は、第２筒部３１側の軸方向一端から他端に向かって次第に縮径したテーパ状に形成されている。縮径した第１筒部３０を設けることで、グレアカット性および集光性が向上する。第１筒部３０の内面には、黒色系の塗膜が形成されていてもよい。黒色系の塗膜を形成することで、第１筒部３０の内面に当たる光が塗膜により吸収されてグレアの低減機能が向上する。黒色系の塗膜は、第２筒部３１の内面を含む筒状体の内面全体に形成されていてもよい。
【００２８】
第２筒部３１は、軸方向全長にわたって略一定の直径を有する。第２筒部３１の直径は、爪部３２の突起３３が存在しない部分において基部２２の内径よりもやや小さく、基部２２の筒内に挿し込み可能である。なお、第２筒部３１は、基部２２に挿し込まれた状態で、基部２２の内面に略当接し、基部２２の内面との間に大きな隙間が形成されないことが好ましい。本実施形態では、突起３３が存在する部分において第２筒部３１の直径が基部２２の内径よりもやや大きくなっている。第１筒部３０および第２筒部３１の長さは特に限定されず、フード１３は、例えば筐体２１の長さの３０％〜１００％程度の長さを有する。
【００２９】
爪部３２は、上述のように、基部２２の内周面に形成された溝２４に嵌ることで基部２２に引っ掛かる部分であって、第２筒部３１の軸方向一端部に形成されている。爪部３２は、第２筒部３１の軸方向に延びる帯状に形成されてもよく、第２筒部３１の軸方向一端から軸方向に突出していてもよいが、好ましくは第２筒部３１の軸方向一端から軸方向に突出しないように、第２筒部３１の周方向に延びる帯状に形成される。爪部３２は、後述の切欠きによって第２筒部３１の軸方向一端部に形成される。
【００３０】
爪部３２は、複数形成されることが好ましい。本実施形態では、第２筒部３１の軸方向一端部に３つの爪部３２が形成されている。爪部３２は、第２筒部３１の周方向に並んで、周方向に等間隔で形成されている。この場合、筐体２１に対してフード１３を安定に固定でき、また筐体２１に対するフード１３の着脱性が向上する。各爪部３２は、例えば互いに同じ形状、同じ寸法で形成される。
【００３１】
第２筒部３１には、周方向に延びた第１切欠き３４が形成されている。そして、爪部３２は第１切欠き３４に沿って形成されている。第２筒部３１には、軸方向一端から所定の幅で爪部３２が形成され、爪部３２の軸方向他端側に隣接して所定の幅で第１切欠き３４が形成されている。言い換えると、第２筒部３１に第１切欠き３４を形成することで、第２筒部３１の径方向に弾性変形可能な爪部３２が形成される。
【００３２】
第２筒部３１には、軸方向に延びて第１切欠き３４に連通する第２切欠き３５が形成されている。第２切欠き３５は、第２筒部３１の軸方向一端から軸方向に沿って形成される。つまり、第２筒部３１の軸方向一端部には、略Ｌ字状に切欠きが形成されている。第１切欠き３４だけで第２筒部３１の径方向に弾性変形する爪部３２を形成することも可能であるが、第２切欠き３５を形成して爪部３２の長手方向一端を切り離すことで、爪部３２の長手方向一端（先端）側のストロークを大きくできる。これにより、フード１３の着脱性が向上する。
【００３３】
爪部３２の長さおよび幅は、爪部３２のバネ性、強度等を考慮して決定され、一般的に爪部３２が長くなるほど、また幅が小さくなるほど、径方向に弾性変形し易くなりストロークが大きくなる。爪部３２の長さは、第１切欠き３４の長さによって調整でき、一例としては第２筒部３１の周長の１％〜１５％程度である。爪部３２の幅は、第２筒部３１の軸方向一端から第１切欠き３４までの距離によって調整でき、一例としては第２筒部３１の軸方向長さの１０％〜４０％程度である。第１切欠き３４および第２切欠き３５は、爪部３２が動いたときに第２筒部３１の周辺部分と干渉しない程度の幅を有することが好ましく、爪部３２の幅と同程度の幅で形成されていてもよい。
【００３４】
爪部３２は、第２筒部３１の径方向外側に突出した突起３３を有する。突起３３は、基部２２の筒内に形成された溝２４に嵌合する部分であって、ストロークが大きくなる爪部３２の先端部に形成されることが好ましい。突起３３は、各爪部３２に１つずつ、第２筒部３１の周方向に等間隔で合計３つ形成される。第２筒部３１の直径は、上述の通り、突起３３が存在する部分において基部２２の内径よりもやや大きくなっている。突起３３は、例えば半球状に形成されている。この場合、フード１３の着脱がスムーズになる。
【００３５】
上記構成を備えたフード１３は、基部２２の筒内に第２筒部３１を挿し込むことで基部２２に固定されるが、このとき、爪部３２の突起３３が基部２２の開口縁部２２ａに接触して爪部３２が撓み、径方向内側に押し込まれる。そして、突起３３が溝２４に嵌ったときに、爪部３２が径方向外側に動き元の形状に戻る。また、基部２２に固定されたフード１３を引っ張ると、突起３３が溝２４の縁部に接触して爪部３２が撓み、径方向内側に押し込まれる。これにより、突起３３が溝２４から外れるので、フード１３を基部２２から取り外すことができる。
【００３６】
以上のように、フード１３は、第２筒部３１の径方向に弾性変形する爪部３２によって器具本体１１の筐体２１に引っ掛けられるので、筐体２１に対する取り付けが容易である。フード１３は、固定バネ等の他の部品を使用することなく、ワンタッチで筐体２１に取り付け可能である。また、フード１３が挿入される筐体２１のスペースは小さいが、第２筒部３１の周方向に延びる第１切欠き３４を形成することで、周方向に長い爪部３２が形成され、爪部３２のストロークを大きくとることができる。これにより、フード１３の着脱性がさらに向上する。
【００３７】
照明器具１０では、器具本体１１の内部に爪部３２が嵌合する環状の溝２４が形成されているので、器具本体１１に対してフード１３をしっかり固定できる。また、爪部３２が溝２４に嵌ることで、フード１３の位置決めが容易になり、フード１３の取り付け性がさらに向上する。
【００３８】
なお、上述の実施形態は、本開示の目的を損なわない範囲で適宜設計変更できる。例えば、上述の実施形態では、突起３３を有する爪部３２を例示したが、爪部は突起を有していなくてもよい。この場合、爪部の全体をフードの径方向外側に突出させ、爪部の全体が筐体に形成された凹部に引っ掛かるように構成されていてもよい。
【００３９】
また、上述の実施形態では、爪部３２の突起３３が嵌る凹部として環状の溝２４が形成された器具本体１１の筐体２１を例示したが、筐体には凹部や段部が形成されていなくてもよい。例えば、爪部が筐体の内面に強く当接することで、フードが器具本体に固定されてもよい。
【符号の説明】
【００４０】
１０  照明器具、１１  器具本体、１２  アーム、１３  照明器具用フード（フード）、１４  ケーブル、２０  レンズ、２１  筐体、２２  基部、２２ａ  開口縁部、２３  アーム固定部、２４  溝、２５  軸受け、２６  ネジ付きシャフト、３０  第１筒部、３１  第２筒部、３２  爪部、３３  突起、３４  第１切欠き、３５  第２切欠き
【図１】
2020004546.tif 000003
【図２】
2020004546.tif 000004
【図３】
2020004546.tif 000005
【図４】
2020004546.tif 000006
【図５】
2020004546.tif 000007